(57)【要約】      （修正有）【課題】装着状態を安定させる装着補助体を備えたイヤースピーカを提供する。【解決手段】音声信号を出力するスピーカ２Ｒ，２Ｌと、スピーカ２Ｒ，２Ｌを聴取者Ｐの頭部に装着する装着体１と、装着体１による装着姿勢を補助する装着補助体８Ｒ，８Ｌを備え、装着体１は、聴取者Ｐの頭部を挟持するバンド部４と、バンド部４の先端部に設けられ聴取者Ｐの左右側頭部に接触して装着状態を保持する装着パッド５Ｒ，５Ｌと、聴取者Ｐの左右耳部に掛止する耳掛止部７Ｒ，７Ｌとを備え、装着補助体８Ｒ，８Ｌは、装着体１のバンド部４に巻き付けて着脱自在に取り付けられるとともに、巻き付けた状態でバンド部４に沿ってスライド自在となり、装着体１の耳掛止部７Ｒ，７Ｌと装着補助体８Ｒ，８Ｌとで聴取者Ｐの耳部を挟んで装着状態を保持する。【選択図】図２
2014003411.tif 000002
【特許請求の範囲】
【請求項１】
音声信号を出力するスピーカと、スピーカを聴取者の頭部に装着する装着体と、該装着体による装着姿勢を補助する装着補助体を備え、
前記装着体は、聴取者の頭部を挟持するアーチ状のバンド部と、該バンド部の先端部に設けられ聴取者の左右側頭部に接触して装着状態を保持する装着パッドと、聴取者の左右耳部に掛止する耳掛止部とを備え、
前記装着補助体は、前記装着体のバンド部に巻き付けて着脱自在に取り付けられ、且つ巻き付けた状態でバンド部に沿ってスライド自在となり、
前記装着体の耳掛止部と前記装着補助体とで聴取者の耳部を挟んで装着状態を保持することを特徴とするイヤースピーカ。
【発明の詳細な説明】
【技術分野】
【０００１】
本発明は、耳元で音声を聴取するためのイヤースピーカに関し、装着状態のズレを防止する機能を持たせたものに関する。
【背景技術】
【０００２】
一般的なヘッドホンとして、ヘッドバンドを介して耳を覆うように装着されるオーバーヘッド型、外耳に引っ掛けて装着されるイヤーフィット型、耳孔に直接挿入するインナーイヤー型等が知られているが、近年、こうしたヘッドホンで長時間音楽を聴取することによる難聴（ヘッドホン難聴）や周囲音が聞こえにくいことによる事故が発生し問題となっている。
【０００３】
これに対し、本出願人は、特許文献１のイヤースピーカを提案している。このイヤースピーカは、音声信号を出力するスピーカと、スピーカを聴取者の耳穴から所定距離離れた位置に装着するヘットバンドとからなり、装着状態でスピーカを聴取者の耳穴に指向するよう、スピーカを装着部に可動自在に取り付けたものである。このイヤースピーカによれば、耳穴に対し所定距離離れた位置から音声出力することができるため、鼓膜に与えるダメージを大幅に軽減してヘッドホン難聴を防ぐことができるとともに、耳を塞がないため、周囲音が聞き取りやすくなり、安全性を確保することができる。
【０００４】
しかしながら、このイヤースピーカは、ヘッドバンドの弾性力による頭部への締め付けと、ヘッドバンドに形成した耳掛止部による耳の上部への掛止により装着状態が保持されるだけなので、軽い衝撃でスピーカがズレてしまい、左右の音量バランスが崩れて音声が聞き取れなくなるという問題があった。
【０００５】
このようなヘッドホンのズレを防止するものとして特許文献２が提案されている。このヘッドホンは、耳の後部に押し当てる耳掛部材をヘッドバンドに対してスライド可能に設け、ヘッドホンを装着した状態で耳掛部材をスライドさせて耳の後部に密着させることで、耳がヘッドバンドの耳掛止部と耳掛部材とに挟持されてズレにくい装着姿勢を得るものである。
【先行技術文献】
【特許文献】
【０００６】
【特許文献１】特開２０１２−４９６０６号公報
【特許文献２】特開２０１２−１５６９０号公報
【発明の概要】
【発明が解決しようとする課題】
【０００７】
ところで、特許文献２のヘッドホンでは、耳掛部材をヘッドバンドから取り外すことができないため、耳掛部材が常にヘッドバンド上に存在することになり不要時には邪魔となり、軽量化を阻害することになる。
本発明は、装着状態を安定させる装着補助体を着脱自在に備えたイヤースピーカを提供するものである。
【課題を解決するための手段】
【０００８】
この課題を解決するために本発明は、音声信号を出力するスピーカと、スピーカを聴取者の頭部に装着する装着体と、該装着体による装着姿勢を補助する装着補助体を備え、装着体は、聴取者の頭部を挟持するアーチ状のバンド部と、該バンド部の先端部に設けられ聴取者の左右側頭部に接触して装着状態を保持する装着パッドと、聴取者の左右耳部に掛止する耳掛止部とを備え、装着補助体は、装着体のバンド部に巻き付けて着脱自在に取り付けられ、且つ巻き付けた状態でバンド部に沿ってスライド自在となり、装着体の耳掛止部と装着補助体とで聴取者の耳部を挟んで装着状態を保持することを特徴とする。
【発明の効果】
【０００９】
本発明によれば、例えば歩行中にイヤースピーカで音楽を楽しむといった場合は、ヘッドバンドの弾性力による頭部への締め付けと、ヘッドバンドの耳掛止部による耳の上部への掛止とにより簡単に装着して使用し、ランニング等を行う場合は、ヘッドバンドに装着補助体を取り付けて、ヘッドバンドの耳掛止部と装着補助体とで耳を挟時してしっかりと装着して使用する。装着補助体は、ヘッドバンドに巻き付けて着脱自在されるので、不要時は取り外すことができ、邪魔になることがない。
【図面の簡単な説明】
【００１０】
【図１】本発明のイヤースピーカの装着状態を示す側面図である。
【図２】本発明のイヤースピーカの装着状態を示す平面図である。
【図３】装着補助体８の取り付けを示す説明図である。
【図４】装着補助体８の取り付けを示す断面図である。
【発明を実施するための最良の形態】
【００１１】
以下、図面を用いて本発明の実施態様について説明する。図１は本発明のイヤースピーカを聴取者Ｐに装着した状態を示す側面図、図２は平面図である。
本発明のイヤースピーカは、携帯型オーディオプレーヤ等の音響機器Ｉの出力端子に接続し、聴取者Ｐの頭部に装着してオーディオ再生する、いわゆるヘッドホンタイプのスピーカであり、装着体１と、スピーカ２Ｒ，２Ｌと、接続ケーブル３とから構成されている。
【００１２】
装着体１は、聴取者Ｐの側頭部から後頭部にかけて装着されるもので、アーチ状をなすバンド部４と、該バンド部４の先端部に設けられ聴取者Ｐの左右側頭部に接触する装着パッド５Ｒ，５Ｌとからなり、装着パッド５Ｒ，５Ｌの下部に形成したスピーカ取付アーム６Ｒ，６Ｌを介してスピーカ２Ｒ，２Ｌが回動自在に取り付けられている。
【００１３】
バンド部４は、弾性を有する柔軟で軽量な樹脂等の素材で構成され、聴取者Ｐの耳上部に掛止するための耳掛止部７Ｒ，７Ｌを屈曲形成し、その弾性力と耳掛止部７Ｒ，７Ｌによって聴取者Ｐの側頭部から後頭部にかけて着脱自在に挟持されるものである。
【００１４】
装着パッド５Ｒ，５Ｌは、柔軟で圧迫感の少ないスポンジやシリコンゴム等の素材で構成され、バンド部４を聴取者Ｐの頭部に挟持する際に、丁度聴取者Ｐのこめかみ当たりに接触し、長時間の使用にも耐えられるようにしている。
【００１５】
スピーカ取付アーム６Ｒ，６Ｌは、装着パッド５Ｒ，５Ｌの下部から斜め後方で且つ外開きに傾斜させて延設され、その先端にスピーカ２Ｒ，２Ｌが内向きに音声出力する方向で取り付けられている。
【００１６】
尚、この装着体１における一方の装着パッド５Ｌには、ステレオの接続ケーブル３が取り付けられ、一方をスピーカ取付アーム６Ｌ内を通じてスピーカ２Ｌに分岐接続し、他方をバンド部４内からスピーカ取付アーム６Ｒ内を通じてスピーカ２Ｒに分岐接続し、双方のスピーカ２Ｒ，２Ｌに音響機器Ｉからの音響信号を分岐出力している。
【００１７】
このような構成により、装着体１を聴取者Ｐの頭部に取り付けると、バンド部４の弾性力と耳掛止部７Ｒ，７Ｌによって聴取者Ｐの側頭部から後頭部にかけて装着され、装着パッド５Ｒ，５Ｌによって保持されることになる。この装着状態において、スピーカ２Ｒ，２Ｌは、それぞれ聴取者Ｐの右耳と左耳に対して所定距離Ｓ離れた位置から音響出力するものであり、スピーカ取付アーム６Ｒ，６Ｌの先端で回動調整して耳穴に指向させて使用される。
【００１８】
図において、８Ｒ，８Ｌは装着補助体で、ヘッドバンド１を聴取者Ｐの頭部に装着した状態で聴取者Ｐの耳後部に当接させて装着状態を安定させるために設けられ、必要に応じてヘッドバンド１のバンド部４に巻き付けて取り付けられる。
【００１９】
以下、図３，４を用いて装着補助体８Ｒ，８Ｌの構成について説明する。
装着補助体８Ｒ，８Ｌは、柔軟で適度な摩擦力を有するシリコンゴム等の素材により構成され、図３（ａ）における略中心部に薄肉片９を形成し、この薄肉片９を挟んで上側に半楕円溝１０・接合片１１、下側に半楕円溝１２・耳当接片１３を一体成形し、薄肉片９で折り畳まれて図３（ｂ）に示すように、装着体１のバンド部４に巻き付けられる。
【００２０】
半楕円溝１０及び半楕円溝１２は、薄肉片９で折り曲げたときに装着体１のバンド部４に巻き付く楕円形の装着孔を形成する。形成された装着孔は、装着補助体８を取り付けた状態で、バンド部４上をスライド可能で、且つ摩擦力により所定位置で保持される適度な可動性と定着性とを有する大きさとなる。
【００２１】
接合片１１及び耳当接片１３は、薄肉片９で折り曲げたときに接合され、接合片１１の内側に係合凸部１４を形成し、耳当接片１３に係合孔１５を開口している。係合凸部１４と係合孔１５は、図４に示すように、係合凸部１４の先端部に形成した段部１６が係合孔１５の内面に形成した段部１７に係止されることで連結して抜け止めされる。耳当接片１３は、聴取者Ｐの耳後部に接触する側縁に、耳後部の形状に沿った湾曲辺１８を形成して略三角片をなしている。
【００２２】
このような構成により、装着補助体８Ｒ，８Ｌは、装着体１のバンド部４を半楕円溝１０及び半楕円溝１２で挟むようにして巻き付けた後、耳当接片１３の下端を下方に引っ張り係合孔１５を広げながら接合片１１の係合凸部１４を圧入し、係合凸部１４の段部１６を係合孔１５の段部１７に係止させて取り付けられる。
【００２３】
装着補助体８Ｒ，８Ｌを取り付けた装着体１は、上記した手順で聴取者Ｐの頭部に装着した後、装着補助体８Ｒ，８Ｌをバンド部４に沿ってスライドさせ、耳当接片１３を耳後部に当接させることで、バンド部４の弾性力と耳掛止部７Ｒ，７Ｌによる係止に加えて耳後部からの押付力がなされ、より安定した装着状態が得られる。
【００２４】
本発明は以上のように構成されるもので、耳穴に対して所定距離離れた位置から音響出力するようにしたので、従来の耳を覆うように装着されるオーバーヘッド型ヘッドホンや、外耳に引っ掛けて装着されるイヤーフィット型ヘッドホン、耳穴に直接挿入するインナーイヤー型ヘッドホン等に比べて鼓膜に与えるダメージが大幅に軽減され、ヘッドホン難聴を防ぐことができるとともに、周囲の音が聞き取れるため、安全にオーディオ再生を楽しむことができる。
【００２５】
また、装着パッド５Ｒ，５Ｌにより装着時のフィット感が高く、違和感や疲労感が少なくなるため、長時間装着してもずれにくく疲れにくい。更に、必要に応じて装着補助体８Ｒ，８Ｌを取り付け、装着状態を強化することができるので、ランニング等を行う場合においても安定した装着が可能となる。また、装着補助体８Ｒ，８Ｌは着脱可能であるので、不要な場合は装着体から取り外しておくことができ、邪魔にならない。
【符号の説明】
【００２６】
１    装着体
２Ｒ，２Ｌ  スピーカ
３    接続ケーブル
４    バンド部
５Ｒ，５Ｌ  装着パッド
６Ｒ，６Ｌ  スピーカ取付アーム
７Ｒ，７Ｌ  耳掛止部
８Ｒ，８Ｌ  装着補助体
９    薄肉片
１０  半楕円溝
１１  接合片
１２  半楕円溝
１３  耳当接片
１４  係合凸部
１５  係合孔
１６  段部
１７  段部
１８  湾曲辺
Ｉ    音響機器
Ｐ    聴取者
【図１】
2014003411.tif 000003
【図２】
2014003411.tif 000004
【図３】
2014003411.tif 000005
【図４】
2014003411.tif 000006